(57)【要約】【課題】塵が舞うことなく簡単、清潔に塵埃の排出処理を行える電気掃除機を提供する。【解決手段】集塵装置８を有し、集塵装置８は、導入部２６から流入した含塵空気に旋回気流を発生させる中空円筒３３からなるケース上部３５と、ケース上部３５の下方に位置し、含塵空気から塵埃をろ過する略円筒形状のろ過フィルタ３６を有すると共に、ろ過フィルタ３６の外周側に空間３７を有したケース下部３８かなる第１分離部３１と、第１分離部３１の下流に位置し、第１分離部３１を通過した塵埃を分離する第２遠心分離部４０を備え、中空円筒３３の天面３３ａを導入部２６から導入された含塵空気の流れに対し下流側に上向きの傾斜面３３ｂで形成したもので、塵埃をろ過フィルタ３６の内面で高い旋回力で旋回させてろ過フィルタ３６への塵埃の張り付きを低減することができる。【選択図】図４
2019141236.tif 000002
【特許請求の範囲】
【請求項１】
電動送風機を収容した掃除機本体に着脱可能に設けられ、前記電動送風機により吸引される含塵空気から塵埃を分離して捕集する集塵装置を備え、前記集塵装置は、前記含塵空気を導入する導入部と、導入された前記含塵空気に旋回気流を発生させる中空円筒とからなるケース上部と、前記ケース上部の下方に設けられ、導入された前記含塵空気から塵埃をろ過する略円筒形状のろ過フィルタを有すると共に、前記ろ過フィルタの外周側に、前記ろ過フィルタの内周側と連通する空間を有したケース下部から構成される第１分離部と、前記ケース下部の下方に設けられ、前記ろ過フィルタにより分離された塵埃を収容する粗塵収容部と、前記粗塵収容部に集塵された塵埃を排出するための粗塵排出蓋と、前記第１分離部と連通し前記第１分離部の下流に位置し、前記第１分離部を通過した含塵空気中の塵埃を分離する旋回筒部を少なくとも１個有した第２遠心分離部と、前記第２遠心分離部の下方に対向して配設され、前記第２遠心分離部で分離された塵埃を前記第１分離部の外側に設けられた細塵収容部へ移送する塵埃移送部と、前記細塵収容部に集塵された塵埃を排出するための細塵排出蓋とを備え、前記中空円筒の天面は、前記導入部から導入された前記含塵空気の流れに対し下流側に上向きの傾斜面で形成されていることを特徴とする電気掃除機。
【請求項２】
中空円筒の天面に形成された傾斜面と、導入部の天面の少なくとも一部を同一傾斜面で形成した請求項１に記載の電気掃除機。
【請求項３】
塵埃移送部の底面を、中空円筒の天面に形成された傾斜面と略同一傾斜面の傾斜面で構成したことを特徴とする請求項１または２に記載の電気掃除機。
【請求項４】
細塵収容部を導入部側に配すると共に、集塵装置を、塵埃移送部の底面の傾斜角度が大きくなるように掃除機本体に傾斜させて取り付けることを特徴とする請求項１〜３のいずれか１項に記載の電気掃除機。
【発明の詳細な説明】
【技術分野】
【０００１】
本発明は、電気掃除機に関するもので、特にろ過分離を行う第１分離部及び、その下流に位置する第２遠心分離部を有した集塵装置を備えた電気掃除機に関するものである。
【背景技術】
【０００２】
従来、この種の電気掃除機は、複数個の旋回筒部からなる第２遠心分離部の配置が、第１分離部の上側でかつ第１分離部の内筒の外周よりもさらに外周で構成され、第２遠心分離部で分離された細塵は、その直下に区画された塵埃溜め部へと直接落下させて溜めるように構成されていた（例えば、特許文献１参照）。
【先行技術文献】
【特許文献】
【０００３】
【特許文献１】特許第５３６８６４５号公報
【発明の概要】
【発明が解決しようとする課題】
【０００４】
しかしながら、前記特許文献１に記載されたような従来の電気掃除機の構成では、塵埃は第１分離部内に設けられた内筒のフィルタ部を通り第２遠心分離部へ向かう構成であり、フィルタ部に毛髪等の細く長い塵埃が内筒部に絡みつき、その上に塵埃が張り付き積層していくことで、フィルタ部が目詰まりし、塵埃を捨てる際にフィルタ部から塵埃を取り除かねばならないという課題を有していた。
【０００５】
また、第２遠心分離部の下部に設けられた外郭をなすケース内の塵埃溜め部のケース上部と塵埃溜め部の底面との距離は浅く、塵埃を捨てる際に塵埃溜め部に外部から流入する空気により細塵が舞い上がり周囲に飛散するという課題を有していた。
【０００６】
また、塵埃を捨てる際にカップ状のケースと第１分離部構成の内筒を分割する際にケース内の塵埃をケース外に流出させて周囲に飛散させてしまうという課題を有していた。
【０００７】
本発明は、前記従来の課題を解決するもので、塵埃を捨てる際に毛髪等の細く長い塵埃が筒部に絡みつくことなく、粗塵と細塵が混ざることで発生する細塵の舞い上がりによる人や衣服への付着やゴミ箱周囲の汚れを抑えた衛生的な電気掃除機を提供することを目的とする。
【課題を解決するための手段】
【０００８】
前記従来の課題を解決するために、本発明の電気掃除機は、電動送風機を収容した掃除機本体に着脱可能に設けられ、前記電動送風機により吸引される含塵空気から塵埃を分離して捕集する集塵装置を備え、前記集塵装置は、前記含塵空気を導入する導入部と、導入された前記含塵空気に旋回気流を発生させる中空円筒とからなるケース上部と、前記ケース上部の下方に設けられ、導入された前記含塵空気から塵埃をろ過する略円筒形状のろ過フィルタを有すると共に、前記ろ過フィルタの外周側に、前記ろ過フィルタの内周側と連通する空間を有したケース下部から構成される第１分離部と、前記ケース下部の下方に設けられ、前記ろ過フィルタにより分離された塵埃を収容する粗塵収容部と、前記粗塵収容部に集塵された塵埃を排出するための粗塵排出蓋と、前記第１分離部と連通し前記第１分離部の下流に位置し、前記第１分離部を通過した含塵空気中の塵埃を分離する旋回筒部を少なくとも１個有した第２遠心分離部と、前記第２遠心分離部の下方に対向して配設され、前記第２遠心分離部で分離された塵埃を前記第１分離部の外側に設けられた細塵収容部
へ移送する塵埃移送部と、前記細塵収容部に集塵された塵埃を排出するための細塵排出蓋とを備え、前記中空円筒の天面は、前記導入部から導入された前記含塵空気の流れに対し下流側に上向きの傾斜面で形成されているもので、導入部から流入した塵埃を含んだ含塵空気は、中空円筒内で旋回気流成分を与えられ、略円筒形状のろ過フィルタの内面を旋回下降しながら、略円筒形状のろ過フィルタによりろ過される。
【０００９】
ろ過により分離された比較的大きな塵埃が、塵埃収容部へと導かれる。また、ろ過により分離された比較的大きな塵埃は、ろ過フィルタの内面を旋回するので、ろ過フィルタへの張り付きが低減される。ここで、中空円筒の天面は、導入部から導入された含塵空気の流れに対し、下流側に上向きの傾斜面で形成されているので、塵埃をろ過フィルタの内面で、より旋回力を高めて旋回させることが可能となり、ろ過フィルタへの塵埃の張り付きを更に低減させることができる。
【００１０】
また、ろ過フィルタを通過したろ過フィルタの孔より小さな細かい塵埃の細塵を、旋回気流から発生する遠心力により空気と細塵とに分離させることが可能な、第１分離部の上方に位置した少なくとも１個以上の旋回筒部を有した第２遠心分離部によって、空気から分離させることができる。第１分離部の外側には細塵収容部が設けられ、第２遠心分離部の下方に対向した位置に、第２遠心分離部で分離された塵埃を細塵収容部に落下させるように塵埃移送部が形成されているので、細塵は細塵収容部に落下し堆積して溜まる。その後、使用者は粗塵排出蓋及び細塵排出蓋を開けて塵埃を排出する。細塵と粗塵を別々に集塵することができるので、粗塵と細塵が混ざることで発生する細塵の舞い上がりを減少させることが可能となる。そのため、衛生的な電気掃除機を提供することができる。
【発明の効果】
【００１１】
本発明の電気掃除機は、細かな塵埃を舞い散らすことなく、清潔、簡単に塵埃の排出処理を行うことができる。そのため、衛生的な電気掃除機を提供することができる。
【図面の簡単な説明】
【００１２】
【図１】本発明の実施の形態１における電気掃除機の全体斜視図
【図２】同電気掃除機の掃除機本体の中央断面図
【図３】同電気掃除機の集塵装置の全体斜視図
【図４】同集塵装置の断面模式図
【図５】図４におけるＡ−Ａ断面図
【図６】同集塵装置における旋回気流および塵埃挙動の模式図
【図７】同集塵装置で捕集された塵埃の塊状態を示した図
【図８】同集塵装置で、中空円筒の天面に傾斜面が無い場合の気流を示した流体解析結果の概略図
【図９】同中空円筒の天面に傾斜面を設けた場合の気流を示した流体解析結果の概略図
【発明を実施するための形態】
【００１３】
第１の発明は、電動送風機を収容した掃除機本体に着脱可能に設けられ、前記電動送風機により吸引される含塵空気から塵埃を分離して捕集する集塵装置を備え、前記集塵装置は、前記含塵空気を導入する導入部と、導入された前記含塵空気に旋回気流を発生させる中空円筒とからなるケース上部と、前記ケース上部の下方に設けられ、導入された前記含塵空気から塵埃をろ過する略円筒形状のろ過フィルタを有すると共に、前記ろ過フィルタの外周側に、前記ろ過フィルタの内周側と連通する空間を有したケース下部から構成される第１分離部と、前記ケース下部の下方に設けられ、前記ろ過フィルタにより分離された塵埃を収容する粗塵収容部と、前記粗塵収容部に集塵された塵埃を排出するための粗塵排出蓋と、前記第１分離部と連通し前記第１分離部の下流に位置し、前記第１分離部を通過
した含塵空気中の塵埃を分離する旋回筒部を少なくとも１個有した第２遠心分離部と、前記第２遠心分離部の下方に対向して配設され、前記第２遠心分離部で分離された塵埃を前記第１分離部の外側に設けられた細塵収容部へ移送する塵埃移送部と、前記細塵収容部に集塵された塵埃を排出するための細塵排出蓋とを備え、前記中空円筒の天面は、前記導入部から導入された前記含塵空気の流れに対し下流側に上向きの傾斜面で形成されているもので、導入部から流入した塵埃を含んだ含塵空気は、中空円筒内で旋回気流成分を与えられ、略円筒形状のろ過フィルタの内面を旋回下降しながら、略円筒形状のろ過フィルタによりろ過される。
【００１４】
ろ過により分離された比較的大きな塵埃が、塵埃収容部へと導かれる。また、ろ過により分離された比較的大きな塵埃は、ろ過フィルタの内面を旋回するので、ろ過フィルタへの張り付きが低減される。ここで、中空円筒の天面は、導入部から導入された含塵空気の流れに対し、下流側に上向きの傾斜面で形成されているので、塵埃をろ過フィルタの内面で、より旋回力を高めて旋回させることが可能となり、ろ過フィルタへの塵埃の張り付きを更に低減させることができる。
【００１５】
また、ろ過フィルタを通過したろ過フィルタの孔より小さな細かい塵埃の細塵を、旋回気流から発生する遠心力により空気と細塵とに分離させることが可能な、第１分離部の上方に位置した少なくとも１個以上の旋回筒部を有した第２遠心分離部によって、空気から分離させることができる。第１分離部の外側には細塵収容部が設けられ、第２遠心分離部の下方に対向した位置に、第２遠心分離部で分離された塵埃を細塵収容部に落下させるように塵埃移送部が形成されているので、細塵は細塵収容部に落下し堆積して溜まる。その後、使用者は粗塵排出蓋及び細塵排出蓋を開けて塵埃を排出する。細塵と粗塵を別々に集塵することができるので、粗塵と細塵が混ざることで発生する細塵の舞い上がりを減少させることが可能となる。そのため、衛生的な電気掃除機を提供することができる。
【００１６】
第２の発明は、特に、第１の発明の中空円筒の天面に形成された傾斜面と、導入部の天面の少なくとも一部を同一傾斜面で形成したもので、塵埃をろ過フィルタの内面で、より旋回力を高めて旋回させることが可能となり、ろ過フィルタへの塵埃の張り付きが更に低減させることができる。
【００１７】
第３の発明は、特に、第１又は第２の発明の塵埃移送部の底面を、中空円筒の天面に形成された傾斜面と略同一傾斜面の傾斜面で構成したもので、簡単な構成で、細塵は傾斜面に沿って細塵収容部に落下しやすくなり、細塵を細塵収容部に確実に集塵することが可能となる。そのため、衛生的な電気掃除機を提供することができる。
【００１８】
第４の発明は、特に、第１〜３のいずれか一つの発明の細塵収容部を導入部側に配すると共に、集塵装置を、塵埃移送部の底面の傾斜角度が大きくなるように掃除機本体に傾斜させて取り付けるもので、細塵収容部へ細塵がより落下しやすくなり、細塵を細塵収容部に確実に集塵することが可能となる。そのため、衛生的な電気掃除機を提供することができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における電気掃除機の全体斜視図、図２は、同電気掃除機の掃除機本体の中央断面図、図３は、同電気掃除機の集塵装置の全体斜視図、図４は、同集塵装置の断面模式図、図５は、図４におけるＡ−Ａ断面図、図６は、同集塵装置における旋回気流および塵埃挙動の模式図、図７は、同集塵装置で捕集された塵埃の塊の状態
写真、図８は、同集塵装置で、中空円筒の天面に傾斜面が無い場合の気流を示した流体解析結果の概略図、図９は、同中空円筒の天面に傾斜面を設けた場合の気流を示した流体解析結果の概略図である。
【００２１】
最初に、本実施の形態における電気掃除機１００の構成について説明する。
【００２２】
図１において、電気掃除機１００は、掃除機本体１と、掃除機本体１の前方に設けた吸入口２に接続されるホース３と、ホース３の先端に設けられた接続パイプ４と、接続パイプ４に接続される延長管５と、延長管５の先端に設けられ塵埃を吸引する開口部（図示せず）を底面に有する吸込具６からなり、掃除機本体１は、塵埃を吸引する為の吸引風を発生させる電動送風機７（図２参照）を内蔵すると共に、塵埃を集塵する集塵装置８が搭載されている。
【００２３】
図２において、掃除機本体１は、掃除機本体１の下面を形成する下枠体９と、掃除機本体１の上面を形成する上枠体１０から構成されており、下枠体９と上枠体１０は、図示しない爪やネジ等によって結合されている。掃除機本体１の上枠体１０の上部には、含塵空気から塵埃をろ過分離と遠心分離にて捕集する集塵装置８が、掃除機本体１に所定角度傾斜した状態で着脱自在に取り付けられている。本実施の形態においては、集塵装置８が掃除機本体１の走行方向に対し、後方側に略４５度傾斜した状態で掃除機本体１に取り付けられるように構成されている。
【００２４】
また、下枠体９の下面の前方には、走行用のキャスター１１が回動自在に取り付けられており、下枠体９の後方の左右両側面には、走行用の車輪１２が設けられており、少なくとも前後方向に沿って走行可能に構成されている。なお、以下、前後方向および左右方向は、掃除機本体１の走行方向を基準としている。
【００２５】
電動送風機７は、電動送風機ケース１３に内包されており、電動送風機７の吸引口１４が掃除機本体１に対して鉛直上方向になるように配置されている。また、電動送風機７の鉛直上方向には、フィルタ部１５を収納したフィルタケース１６が配置されており、電動送風機ケース１３とフィルタケース１６は、図示しない爪やネジ等によって結合されている。
【００２６】
図２及び図３に示すように、集塵装置８は、外郭であるケース１７と、ケース１７の上面を覆い、ケース１７に着脱自在に構成された上蓋１８と、ケース１７の下面を覆い、ケース１７に回動自在に軸支された塵埃排出蓋１９とから構成されている。
【００２７】
上蓋１８は、集塵装置８の内部の空気を掃除機本体１に排出するため、掃除機本体１に接続される排気口２０と、略円筒状の側壁２１および天面（図示せず）から構成されている。また、上蓋１８には、持ち運び用の把手部２２とそれを軸支する把手部おさえ２３と飾り板２４が取り付けられ、ケース１７に上蓋１８を保持固定する尾錠２５を側面の２箇所に軸支している。
【００２８】
ケース１７は、吸引した塵埃をケース１７内に導くとともに掃除機本体１に接続されるように導入部２６を形成している。導入部２６は、ケース１７の接線方向に向くように形成されている。
【００２９】
塵埃排出蓋１９は、ケース１７に設けたヒンジ部（図示せず）で回動可能で、係止部２８でケース１７に係止され、塵埃排出蓋１９に取り付けられた底蓋パッキン２９によってケース１７とエアータイト（気密性が保持）される。
【００３０】
以上のような構成により、吸込具６から吸い込まれた含塵空気は、掃除機本体１の前方に設けた吸入口２を経由して、略円筒状のケース１７内へ導入部２６から吸い込まれる。塵埃排出蓋１９は、係止部２８が回動することでロックが外れて、開閉できる構成となっており、操作レバー３０を押し下げることで、係止部２８が開き、塵埃排出蓋１９が開放される。
【００３１】
図４に示すように、集塵装置８内の下部は、第１分離部３１と、粗塵収容部３２と、塵埃排出蓋１９とから構成されている。第１分離部３１は、塵埃を含む空気を導入する導入部２６と導入された塵埃を含む空気に旋回気流を発生させる中空円筒３３を備えたケース上部３５と、ケース上部３５の下方に配され、導入部２６から導入した含塵空気から塵埃をろ過する略円筒形状のろ過フィルタ３６及び、ろ過フィルタ３６の外周側に位置し、ろ過フィルタ３６の内周側と連通している空間３７を有したケース下部３８とから構成されている。
【００３２】
また、ケース上部３５の内部に設けた中空円筒３３の天面３３ａには、導入部２６から導入された含塵空気の流れに対し下流側に上向き傾斜面３３ｂが形成されている。また、導入部２６の天面２６ａを、中空円筒３３の天面３３ａの傾斜面３３ｂと同一傾斜面とした構成としている。
【００３３】
図５において、導入部２６は、中空円筒３３に対し、その円周断面の接線方向から気流が流入するように、偏心した位置に配置させている。粗塵収容部３２は、内周をろ過フィルタ３６の内周と一致させた有底略円錐台のカップ形状である。
【００３４】
第１分離部３１の上方には、空間３７と連通し、第１分離部３１を通過した含塵空気中の塵埃を分離する旋回筒部４０ａを少なくとも１個有した第２遠心分離部４０が配設されている。また、第１分離部３１の外側に設けられた細塵収容部４１と、第２遠心分離部４０の下方に対向して位置すると共に、第２遠心分離部４０で分離された塵埃を細塵収容部４１に落下させるように、細塵収容部４１と連通すると共に底面が傾斜面４２ａで構成された塵埃移送部４２を備えた構成となっている。
【００３５】
塵埃移送部４２に設けられた傾斜面４２ａは、中空円筒３３の天面３３ａの傾斜面３３ｂと同一傾斜面としている。また、細塵収容部４１は、導入部２６側に配設されている。また、塵埃排出蓋１９を開けることによって、粗塵収容部３２に集塵された塵埃と、細塵収容部４１に集塵された塵埃とを同時に排出可能な構成としている。
【００３６】
以上のように構成された本実施の形態における電気掃除機１００について、以下その動作、作用を説明する。
【００３７】
まず、電動送風機７を運転開始すると吸引気流が発生し、吸込具６から吸い込まれた含塵空気は、延長管５、ホース３を経由して、導入部２６から集塵装置８に吸い込まれる。
【００３８】
ここで、導入部２６は、図５に示すように、ケース上部３５の内部に設けた中空円筒３３に対し、その円周断面の接線方向から気流が流入するように、偏心した位置に配置させている。このように導入部２６を配置することで、導入部２６よりケース上部３５の中空円筒３３内に流入した含塵空気は、中空円筒３３の内周面に沿って流れるため、それまでの直線的な気流（図５矢印Ｂ）がここで旋回気流（図５矢印Ｃ）に変わることになる。ここで、本実施の形態では、導入部２６をケース上部３５の中空円筒３３内周接線方向に配置させて旋回気流を発生させているが、導入部２６が中央に位置していても図示しない案内路やガイド等で旋回気流が発生する構成であればよい。
【００３９】
さらに、ろ過フィルタ３６が、導入部２６を有するケース上部３５の下方に配置されているため、図４の矢印Ｄで示すように、旋回しながら下降する斜め螺旋軌道の流れが生じる。この旋回下降気流は、ろ過フィルタ３６の表面を滑りながら下方へと流れて行く。
【００４０】
含塵空気がこのろ過フィルタ３６の表面を流れるとき、ろ過フィルタ３６の通気孔（図示せず）には電動送風機７からの吸引圧が加わっている。ろ過フィルタ３６の通気孔の形状や中空円筒３３の断面形状は、塵埃に掛かる力を「旋回下降気流の流れ圧」＞「ろ過フィルタ３６の通気孔から受ける吸引圧」の関係とするように形成されている。
【００４１】
これにより、空気よりも重量がある塵埃は、その慣性力によってそのまま旋回下降する。一方、空気及びろ過フィルタ３６の通気孔よりも小さい塵埃は、図４の矢印Ｅに示すように、ろ過フィルタ３６の外周側に位置しろ過フィルタ３６の内周側と連通している空間３７を経て、第２遠心分離部４０へと流れる。このようにして、第１分離部３１において塵埃と空気との分離を行っている。
【００４２】
本実施の形態では、ろ過フィルタ３６の外周全面に無数の通気孔を設けており、ろ過フィルタ３６は、厚さ０．１５ｍｍの金属板をエッチング加工で、約０．２ｍｍ径の通気孔を無数に形成したものを、さらに後加工として電解研磨処理を行い、圧延形成で生じる金属板表面の粗さ、および、エッチング加工で生じた通気孔間口のエッヂ、通気孔内面の加工粗さを、ミクロンオーダーまで平坦化させた金属フィルタで構成しているため、旋回流が滑らかに流れることが可能である。
【００４３】
また、ろ過フィルタ３６の素材としては、樹脂や金属製の格子網を用いても良い。また、ろ過フィルタ３６の代用として筒自体に小さな孔を構成して形成してもよい。
【００４４】
その後、図６に示すように、ろ過フィルタ３６内を旋回下降する塵埃４４は、さらにその下方にある粗塵収容部３２まで旋回下降し、粗塵収容部３２の側面傾斜面４５に沿って内側に寄せられながら、底中央に到達する。
【００４５】
粗塵収容部３２でも旋回軌道が生じており、旋回軌道の気流の影響を受け、粗塵収容部３２の底に滞留している塵埃４４は、図６の矢印Ｆで示すように、ぐるぐると偏って集まりながら旋回し、同時に、図６の矢印Ｇで示すように、塵埃４４自身がその場でスピン動作をしながら、旋回動作を行うようになる。
【００４６】
旋回動作を行っている塵埃４４は、旋回しながら、粗塵収容部３２の壁面との摩擦、および旋回気流によって、塵埃同士、特に綿埃同士がフェルト状に絡まり合い、次第にマリモのような塊となっていく。さらには、髪の毛／糸くずを吸込むと、糸巻きのように塊となった塵埃４４に巻き付く。このように、塵埃４４はマリモのような塊となり、旋回によってねじる方向に締め付けられて、図７に示すように、その塊がより崩れにくい状態へとなりながら成長していくことになる。
【００４７】
また、中空円筒３３の天面３３ａに導入部２６に対し上向きの傾斜面３３ｂを形成したことにより、流体解析を行った結果、次に述べるような気流の流れが確認できている。
【００４８】
中空円筒３３の天面に導入部２６に対し上向きの傾斜面３３ｂを形成していない場合は、図８に示すように、含塵空気の流れは、風路面積の小さい導入部２６から風路面積の大きい中空円筒３３へ導入されることによって、含塵空気の流れは下側に向かいやすくなり、下向き成分が大きい旋回気流となる。
【００４９】
これにより、旋回気流成分よりも、下向き成分の大きな流れが生じることとなり、塵埃
４４が、粗塵収容部３２で壁面に沿って旋回動作を行うことができずにマリモのような塊となり難くなる。
【００５０】
しかしながら、図９に示すように、中空円筒３３の天面３３ａに導入部２６に対し上向きの傾斜面３３ｂを形成することによって、上向きの傾斜面３３ｂに沿った上向きの流れが発生し、下向き成分の流れが抑えられ、旋回気流成分が抑制されることなく、塵埃４４が粗塵収容部３２で壁面に沿って旋回動作（矢印Ｉ）を行うことが可能となり、粗塵がマリモのような塊となり易くなり、ゴミ捨て時に粗塵がバラけて舞い上がることがなくなるので、衛生的なゴミ捨てが可能となる。
【００５１】
ここで、本実施の形態では、導入部２６の天面２６ａを中空円筒３３の天面３３ａと同一傾斜面として説明しているが、導入部２６の天面２６ａの一部のみを中空円筒３３の天面３３ａと同一傾斜面となるように構成しても、下向き成分の流れが抑えられ、旋回気流成分が抑制されることなく、塵埃４４が、粗塵収容部３２で壁面に沿って旋回動作することが可能であれば、なんら問題はない。
【００５２】
また、第１分離部３１において分離されたろ過フィルタ３６の通気孔より小さい細塵と空気は、第２遠心分離部４０へ流入し、そこで細塵が遠心分離され、塵埃移送部４２を経て細塵収容部４１に蓄積される。ここで、塵埃移送部４２を、中空円筒３３の天面３３ａに形成された傾斜面３３ｂと略同一傾斜面とすることで簡単な構成で細塵を細塵収容部４１へ移送されやすくなる。ここで、塵埃移送部４２を中空円筒３３の天面３３ａに形成された傾斜面３３ｂと略同一傾斜面ではなく、例えば、塵埃移送部４２の傾斜面４２ａの角度を別途設定しても、細塵収容部４１へ細塵を移送しやすくできるのであれば何ら問題はない。
【００５３】
また、集塵装置８は、略４５度傾斜した状態で掃除機本体１に取り付けられているため、塵埃移送部４２の傾斜面４２ａがよりきつく傾斜することとなり、細塵が細塵収容部４１へ移送されやすくなっている。なお、集塵装置８は、必ずしも傾斜させて取り付ける必要は無く、細塵収容部４１へ細塵を移送することが可能であれば何ら問題はない。
【００５４】
また、第２遠心分離部４０を通過した塵埃を含まない空気は、上蓋１８に形成した排気口２０を通過し、フィルタ部１５を通過して電動送風機７の吸引口１４へ吸引され、掃除機本体１の外に排気される。
【００５５】
次に、掃除後の塵埃の排出について述べる。粗塵収容部３２と細塵収容部４１に集塵された各々の塵埃は、塵埃排出蓋１９を開けて同時に排出することができる。この時、粗塵収容部３２に集塵されている塵埃はマリモのようなボール状の固まりとなっているため、塵埃を捨てる際には、塵埃がバラけることがなく衛生的なゴミ捨てが可能である。
【００５６】
また、第１分離部３１内部には、突起などがなく塵埃が引っ掛からない構成となっているため、塵埃が引っ掛かって排出されないということがなく、スムーズなゴミ捨てを行うことができ、使い勝手が良い電気掃除機を提供することができる。
【００５７】
また、細塵収容部４１に溜められた細塵は、粗塵と混ざり合うことなく排出することができるので、粗塵と細塵が混ざり合い発生する細塵の舞い上がりによる人や衣服への付着やゴミ箱周囲の汚れを抑えることができ、衛生的なゴミ捨てが可能である。
【００５８】
ここで、塵埃排出蓋１９は、粗塵収容部３２と細塵収容部４１から塵埃を同時に排出可能となるように構成しているが、塵埃排出蓋１９を粗塵収容部３２から塵埃を排出するための粗塵排出蓋（図示せず）と、細塵収容部４１から塵埃を排出するための細塵排出蓋（
図示せず）と２箇所別々に設けてもよい。これにより、粗塵、細塵の集塵量を見ながらそれぞれの塵埃を別々に排出することができ、より使い勝手の良い集塵装置８の提供が可能となる。
【００５９】
ここで、塵埃移送部４２の表面粗さを小さく設定している。表面粗さによる摩擦係数が減少することで滑り性能が向上し、第２遠心分離部４０から落下した細塵が、塵埃移送部４２を滑りやすくなり、塵埃移送部４２の途中で堆積して塵埃移送部４２を塞いで細塵を排出できなくなるといった不具合を改善することができ、細塵収容部４１へ堆積されやすくなる。表面粗さを細かくする手段としては、表面処理を行う方法があり、塗装やメッキ処理、アルマイト等の表面面粗度を改善する方法であれば特に限定しない。また、滑り性を向上させることが可能であれば、その他の方法であっても何ら問題ない。
【００６０】
尚、本実施の形態では、キャニスター型の電気掃除機を例に述べたが、スティック型やアップライト型の電気掃除機に本実施の形態における集塵装置８を用いても、衛生的にゴミ捨てを行うことができるという本発明の目的を果たすことができるので何ら問題はない。
【００６１】
また、集塵装置８では、基本的にすべての塵埃をろ過分離と遠心分離して捕集することができるが、電動送風機７の起動時や運転終了時などの流入空気量が不安定な状態である場合に、集塵装置８でろ過分離と遠心分離しきれなかった塵埃を含んだ空気が一部、電動送風機７に吸い込まれるのを防止するためにフィルタ部１５を設けている。またフィルタ部１５の濾材としてＨＥＰＡフィルタなどを採用することで、より集塵捕集性能を高め、清浄な空気の排気を実現することができる。
【産業上の利用可能性】
【００６２】
以上のように、本発明にかかる電気掃除機は、吸込まれた塵埃が円錐台振り子状に旋回動作するように、集塵部の形状と気流を構成したことによって、塵埃が互いに絡まり合い、また、髪の毛／糸くずが巻きつくことで、マリモのような塊となり、塵埃を捨てる際、塵埃がバラけて拡がって落ちることを抑えることができ、塵の舞い散りもなく簡単に排出処理が行えるようになり、家庭用電気掃除機だけでなく、業務用電気掃除機などさまざま種類の掃除機に使用することが可能となる。
【符号の説明】
【００６３】
１  掃除機本体
２  吸入口
３  ホース
４  接続パイプ
５  延長管
６  吸込具
７  電動送風機
８  集塵装置
９  下枠体
１０  上枠体
１１  キャスター
１２  車輪
１３  電動送風機ケース
１４  吸引口
１５  フィルタ部
１６  フィルタケース
１７  ケース
１８  上蓋
１９  塵埃排出蓋
２０  排気口
２１  側壁
２２  把手部
２３  把手部おさえ
２４  飾り板
２５  尾錠
２６  導入部
２６ａ、３３ａ  天面
２８  係止部
２９  底蓋パッキン
３０  操作レバー
３１  第１分離部
３２  粗塵収容部
３３  中空円筒
３３ｂ、４２ａ  傾斜面
３５  ケース上部
３６  ろ過フィルタ
３７  空間
３８  ケース下部
４０  第２遠心分離部
４０ａ  旋回筒部
４１  細塵収容部
４２  塵埃移送部
４４  塵埃
４５  側面傾斜面
１００  電気掃除機
【図１】
2019141236.tif 000003
【図２】
2019141236.tif 000004
【図３】
2019141236.tif 000005
【図４】
2019141236.tif 000006
【図５】
2019141236.tif 000007
【図６】
2019141236.tif 000008
【図７】
2019141236.tif 000009
【図８】
2019141236.tif 000010
【図９】
2019141236.tif 000011